(57)【要約】【課題】キャリッジに配線された電源ケーブルの遊び部分を所定位置に規制するとともに、漏電や破損等を防止するために電気ケーブルの絶縁及び保護することが可能な画像読取装置を提供する。【解決手段】ガイドレール１０３に沿って走査可能に設けられたフルレートキャリッジ１０１には光源１１が装備され、該光源１１等への電力供給のために、電気ケーブル１０７が配線されている。ガイドレール１０３の外側には、ケーブルガイド１０９が延設されている。ケーブルガイド１０９内に電気ケーブル１０７の遊び部分７２が収容されることにより、フルレートキャリッジ１０１の走査に従動する電気ケーブル１０７の位置が規制され、遊び部分７２が自在に遊動することを防止する。【選択図】　　　図４
2004085855.tif 000002
【特許請求の範囲】
【請求項１】
原稿に対してキャリッジが走査され、該原稿からの反射光を結像ユニットで読み取る画像読取装置において、
前記キャリッジと装置本体の電源間に、キャリッジの走査が可能なように遊びを持たせて配線された電気ケーブルと、
電気ケーブルの遊び部分をキャリッジ走査方向に沿って案内する絶縁性のケーブルガイドとを具備してなるものであることを特徴とする画像読取装置。
【請求項２】
前記キャリッジに、前記電気ケーブルの遊び部分が前記ケーブルガイドから膨出することを規制するケーブル押えを設けたことを特徴とする請求項１に記載の画像読取装置。
【発明の詳細な説明】
【０００１】
【発明の属する技術分野】
本発明は、原稿に対してキャリッジが走査され、該原稿からの反射光を結像ユニットで読み取る画像読取装置に関し、特に、キャリッジと給電端子間に配線された電気ケーブルを、ケーブルガイドで案内することにより、漏電やケーブルの損傷を防止することができる画像読取装置に関する。
【０００２】
【従来の技術】
スキャナ、ファクシミリ、複写機等には、プラテンガラス上に載置された紙等の原稿に対し、該プラテンガラスの下方において光源及び反射ミラー等を走査してＣＣＤ等の結像ユニットにより該原稿の画像読取りを行う画像読取装置が装備されているものがある。このような従来の画像読取装置として、例えば、原稿に光を照射するための光源と原稿からの反射光を所定方向へ反射する反射ミラーとを備えてなるフルレートキャリッジと、該フルレートキャリッジからの反射光をＣＣＤ等の結像ユニットへ導くための反射ミラーを備えてなるハーフレートキャリッジとがガイドレールに沿って走査可能に設けられ、ワイヤ駆動機構により該フルレートキャリッジ及びハーフレートキャリッジを走査するものがある。
【０００３】
前記フルレートキャリッジと装置本体の電源等との間には、光源等への給電や電気信号の送受信のための電気ケーブルが配線されており、該電気ケーブルは、フルレートキャリッジが走査可能なように、ある程度の遊びを持たせている。例えば、ハーネスと呼ばれる帯状の電気ケーブルであれば、一端をフルレートキャリッジに接続し、該接続端から略走査方向へ延びた電気ケーブルを下方へ湾曲することにより反転させて反対側へ延ばし、他端を電源等に接続している。このように湾曲された遊び部分は、フルレートキャリッジの走査距離に応じて適当な長さに設定されており、これにより水平方向に走査されるフルレートキャリッジの走査中に、電源ケーブルを介して安定的に給電することができるようになっている。
【０００４】
【発明が解決しようとする課題】
しかし、前記電気ケーブルの遊び部分が画像読取装置内を自由に遊動すると、フルレートキャリッジ及びハーフレートキャリッジの走査の邪魔となり、フルレートキャリッジ、ハーフレートキャリッジ、及び結像ユニット間では、原稿からの反射光の光路に入って干渉する恐れもある。また、電気ケーブルには高電圧が印加されているので、該電気ケーブルが画像読取装置の他の部材と接触することにより漏電して誤作動の原因となったり、電気ケーブルの破損やプラテンガラスの汚れ等の原因となることもある。
【０００５】
本発明は、これらの点に鑑みてなされたものであり、キャリッジに配線された電源ケーブルの遊び部分を所定位置に規制するとともに、漏電や破損等を防止するために電気ケーブルの絶縁及び保護することが可能な画像読取装置を提供することを目的とする。
【０００６】
【課題を解決するための手段】
本発明に係る画像読取装置は、原稿に対してキャリッジが走査され、該原稿からの反射光を結像ユニットで読み取る画像読取装置において、前記キャリッジと装置本体の電源間に、キャリッジの走査が可能なように遊びを持たせて配線された電気ケーブルと、電気ケーブルの遊び部分をキャリッジ走査方向に沿って案内する絶縁性のケーブルガイドとを具備してなるものである。該ケーブルガイドにより、電気ケーブルが走査方向以外へ遊動することが防止され、その絶縁性により電気ケーブルからの漏電も防止される。
【０００７】
なお、本発明のキャリッジには、例えば、光源及び反射ミラーを備え、原稿からの反射光を該反射ミラーにより結像ユニットへ導くものや、光源及びＣＣＤ等の結像ユニットを備え、原稿からの反射光を該結像ユニットで読み取るものがある。また、キャリッジに結像ユニットが搭載された場合には、前記電気ケーブルには、電力供給のためのケーブルの他に、制御信号や画像信号の送受信を行うケーブルをも含めることができ、そのような場合には、前記電気ケーブルを電源と接続するとともに、各信号の送受信を行うための端子にも接続することが可能である。
【０００８】
また、本発明は、前記キャリッジに、前記電気ケーブルの遊び部分が前記ケーブルガイドから膨出することを規制するケーブル押えを設けたものである。電気ケーブルが弾力を有するものである場合、湾曲された遊び部分が該弾力によりケーブルガイド外へ大きく膨らみ、その部分が遊動したり、電気ケーブルの上方に配設されたケーシング等に接触する場合があるが、前記ケーブル押えにより、電気ケーブルがケーブルガイド外へ膨出してケーシング等に接触することが防止される。また、該ケーブル押えをキャリッジに設ければ、キャリッジの走査位置に拘わらず電気ケーブルの膨出を規制でき、キャリッジ走査の邪魔にもならないので好適である。なお、ケーブルガイドから膨出を規制する程度は、電気ケーブルの遊び部分の大半がケーブルガイド内に収容され、該遊び部分が遊動したり他の部材と接触したりせず、走査方向に沿って案内される程度でよい。
【０００９】
【発明の実施の形態】
以下、本発明の実施の形態に係る画像読取装置を図面に基づき具体的に説明する。なお、本実施の形態に係る画像読取装置は本発明の一例にすぎず、本発明の構成が該画像読取装置に限定されるものでないことは当然である。
【００１０】
図１は、本発明の実施の形態に係る画像読取装置１００を具備するコピー・ファクシミリ複合機１の上部の外観を示す概略斜視図である。図に示すように、該コピー・ファクシミリ複合機１は、読み取るべき原稿を載置するプラテンガラス２が配設された読取載置台３と、該原稿をプラテンガラス２上に押圧して固定する原稿押さえカバー４と、原稿の読取り開始等を入力するための操作パネル５とを具備してなる。以下に詳述する画像読取装置１００は、読取載置台３のケーシング６内に配設されており、プラテンガラス２の下方から原稿の画像を読み取るようになっている。
【００１１】
なお、図には示していないが、前記コピー・ファクシミリ複合機１は、読み取った画像を記録するための記録用紙を供給する給紙部や、記録用紙に画像を記録する画像記録部、画像を電送するための送信部等をも備えているが、該コピー・ファクシミリ複合機１は、本発明に係る画像読取装置を具備する機器の一例であり、これら画像記録部等は任意の構成であることは勿論である。
【００１２】
図２は、本画像読取装置１００の外観構成を示す概略斜視図である。図に示すように、本画像読取装置１００は、前記プラテンガラス２の下方において、原稿の読取面と平行方向に走査されるフルレートキャリッジ１０１及びハーフレートキャリッジ１０２と、フルレートキャリッジ１０１及びハーフレートキャリッジ１０２の両端部を夫々上下２段に支持し、且つこれらを走査方向に案内するガイドレール１０３と、ガイドレール１０３の内方に設けられてフルレートキャリッジ１０１及びハーフレートキャリッジ１０２を走査するための駆動力を伝達するワイヤ駆動機構１０４と、原稿からの反射光を電気信号に変換する結像ユニット１０５と、ワイヤ駆動機構１０４へ駆動力を付与する駆動ユニット１０６と、フルレートキャリッジ１０１と電源１０８間に配線された電気ケーブル１０７と、電気ケーブル１０７を案内するケーブルガイド１０９とを具備してなるものである。
【００１３】
図３は、フルレートキャリッジ１０１、ハーフレートキャリッジ１０２、及びワイヤ駆動機構１０４の主要構成を示した正面図であるが、図２及び図３に示すように、前記フルレートキャリッジ１０１は、キャリッジ本体１０に、原稿に光を照射するための光源１１と、原稿からの反射光Ｒ１を走査方向へ反射してハーフレートキャリッジ１０２へ導くための反射ミラー１２とを具備してなり、前記ハーフレートキャリッジ１０２は、キャリッジ本体２０に、フルレートキャリッジ１０１からの反射光Ｒ２を結像ユニット１０５へ導く２枚の反射ミラー２１、２２を具備してなるものである。また、図には詳細に示していないが、結像ユニット１０５は、ハーフレートキャリッジ１０２からの反射光Ｒ３を収束する収束レンズと、その収束光を電気信号に変換する電荷結合素子（Ｃｈａｒｇｅ　Ｃｏｕｐｌｅ　Ｄｅｖｉｃｅ、以下「ＣＣＤ」という。）とを備えてなる所謂縮小光学系のＣＣＤ読取ユニットである。
【００１４】
前記フルレートキャリッジ１０１及びハーフレートキャリッジ１０２がプラテンガラス２の下方を原稿と平行に移動して原稿の画像をスキャンし、フルレートキャリッジ１０１の光源１１から原稿に光が照射され、該原稿からの反射光Ｒ１が反射ミラー１２により水平方向の反射光Ｒ２として反射され、さらに、ハーフレートキャリッジ１０２の反射ミラー２１により鉛直下方へ反射された後、反射ミラー２２により水平方向の反射光Ｒ３として反射されることにより、結像ユニット１０５へ導かれて、ＣＣＤにより結像するものとなっている。
【００１５】
前記ガイドレール１０３は、図２に示すように、フルレートキャリッジ１０１及びハーフレートキャリッジ１０２の両端部に一対設けられており、該両端部を夫々摺動可能に担持することにより、フルレートキャリッジ１０１及びハーフレートキャリッジ１０２を夫々走査方向へ案内するものとなっている。フルレートキャリッジ１０１を担持する第１担持部３０と、ハーフレートキャリッジ１０２を担持する第２担持部３１とは、図３に点線で示すように、上下２段に構成されており、第１担持部３０は、走査方向の略全域に渡って設けられているのに対し、第２担持部３１は、走査方向の略半分より若干長く設けられている。
【００１６】
前記ワイヤ駆動機構１０４は、図２に示すように、前記ガイドレール１０３の内方において、フルレートキャリッジ１０１及びハーフレートキャリッジ１０２の両端部夫々に一対設けられている。図３は、その一対のうち正面側のワイヤ駆動機構１０４を示しており、図に示すように、フルレートキャリッジ１０１及びハーフレートキャリッジ１０２の走査方向に渡って、ワイヤ４０を巻架させてなるワイヤループが形成されている。
【００１７】
さらに詳細に説明するに、ワイヤ４０の一端が走査方向基端部に配設されたクランプ４１に固定され、該ワイヤ４０は、クランプ４１から正方向に延びて、ハーフレートキャリッジ１０２の本体に軸支されたアイドラプーリ４２に半周分巻回されて逆方向へ延びている。さらにワイヤ４０は、前記クランプ４１の下方に回転自在に固定された従動プーリ４３に半周分巻回されて、再び正方向へ延びている。走査方向先端部にも、従動プーリ４４が回転自在に固定されているが、該従動プーリ４４の手前側の斜め下方に駆動プーリ４５が配設されており、前記従動プーリ４３から正方向へ延びたワイヤ４０は、駆動プーリ４５に１周分或いはそれ以上巻回された後、従動プーリ４４に半周分巻回されて逆方向へ延びている。さらにワイヤ４０は、再び、前記アイドラプーリ４２に半周分巻回されて正方向へ延び、前記第２担持部３１の先端部に形成されたワイヤ張設機構４６により、緊張力が付与された状態で固定されている。即ち、ワイヤ４０の他端に設けられたフックが連結部材６３に係止され、該連結部材６３は、スプリング（引張りバネ）６２の張力が付与された状態で第２担持部３１の先端部にボルト等により締結されている。また、前記従動プーリ４４及びアイドラプーリ４２間の所定位置で、フルレートキャリッジ１０１のキャリッジ本体１０がワイヤクランプ機構１０７によってワイヤ４０に固定されている。
【００１８】
このように構成されたワイヤループに、駆動プーリ４５の回転により駆動力が付与されると、駆動プーリ４５が時計方向に回転することにより、フルレートキャリッジ１０１及びハーフレートキャリッジ１０２は右方向に走査され、駆動プーリ４５が反時計方向に回転することにより、フルレートキャリッジ１０１及びハーフレートキャリッジ１０２は左方向に走査される。また、フルレートキャリッジ１０１の走査速度に対して略１／２の速度でハーフレートキャリッジ１０２が走査されるものとなっており、図３に示すように、走査方向基端部から走査方向先端部に渡って走査距離Ｌ１だけフルレートキャリッジ１０１が走査される間に、ハーフレートキャリッジ１０２は、その約半分の走査距離Ｌ２だけ走査される。なお、図には示していないが、前記ガイドレール１０３、クランプ４１、従動プーリ４３，４４は画像読取装置１００の本体等の適当な箇所にボルト等の固定手段によって固定されている。
【００１９】
ガイドレール１０３に沿って走査可能に設けられたフルレートキャリッジ１０１には、前述したように光源１１が装備されており、該フルレートキャリッジ１０１には、図２に示すように、光源１１等への電力供給のための電気ケーブル１０７が配線されている。図４は、電気ケーブル１０７が配線された付近の拡大図であるが、図に示すように、電気ケーブル１０７は、導電材をフィルム状のポリイミド樹脂等の絶縁性合成樹脂で被覆された帯状且つ一体のものであり、その接続端部７０はフルレートキャリッジ１０１に固定されて光源１１等と電気的に接続されており、接続端部７１はフルレートキャリッジ１０１の下方で固定されて電源１０８と電気的に接続されている。
【００２０】
前記電気ケーブル１０７は、フルレートキャリッジ１０１が走査端まで走査された場合に、前記接続端部７０の固定部分から接続端部７１の固定部分までの距離より十分に長くなるように遊びを持たせており、該遊び部分７２は、図に示すように湾曲された状態となっている。即ち、電気ケーブル１０７は、接続端部７０から走査方向に延びて下方へ湾曲するように反転し、走査方向の反対側へ延びて接続端部７１が固定されている。これにより、フルレートキャリッジ１０１の走査位置に拘わらず、電源１０８からフルレートキャリッジ１０１へ電力供給を可能としている。また、電気ケーブル１０７は、本画像読取装置１００の読取幅の外側、即ちガイドレール１０３の外側に配設されているので、フルレートキャリッジ１０１及びハーフレートキャリッジ１０２の走査の邪魔とならず、原稿から結像ユニット１０５への光路に干渉することもない。
【００２１】
なお、電気ケーブル１０７は、遊び部分７２がフルレートキャリッジ１０１の走査に従動するような可撓性を有するものであれば、本実施の形態にように帯状且つ一体のものとする必要はないが、遊び部分７２が下方へ垂れ下がってしまったり、撚れて絡まらない程度の適度の弾力を有するものが好適である。また、電気ケーブル１０７には、電力供給のためのケーブルの他に、制御信号や画像信号の送受信を行うケーブルをも含めることができ、接続端部７１を、電源１０８の他、各信号の送受信を行うための制御部等にも接続してよいことは勿論である。
【００２２】
また、ガイドレール１０３の外側には、図２及び図４に示すように、ケーブルガイド１０９が延設されている。ケーブルガイド１０９は、ポリプロピレン等の絶縁性合成樹脂を上面が開口した箱状に成形したものであって、ガイドレール１０３と略同等の長さ、及びその内側に電気ケーブル１０７を収容することが可能な幅のものである。ケーブルガイド１０９の中央付近には、電気ケーブル１０７の接続端部７１を固定するためのネジ止めや、電源１０８の端子との接続等の作業の便宜を考慮して、側壁に開口９０が設けられている。また、ケーブルガイド１０９の、電気ケーブル１０７の遊び部分７３が湾曲する側と反対側の端部付近は、該遊び部分７３を収容することがないので底上げされている。なお、必要であればケーブルガイド１０９の内側等に適宜リブ等を設けて補強してもよい。このような形状のケーブルガイド１０９は、その両端の固定部９１においてネジ止め等されて前記ガイドレール１０３に固定されている。
【００２３】
前記ケーブルガイド１０９内に電気ケーブル１０７の遊び部分７２が収容されることにより、フルレートキャリッジ１０１の走査に従動する電気ケーブル１０７の位置が規制され、遊び部分７２が自在に遊動することを防止する。これにより、電気ケーブル１０７がガイドレール１０３等の他の部材と接触して漏電、損傷することが防止され、また、ケーブルガイド１０９は絶縁性材料からなるので、電気ケーブル１０７がケーブルガイド１０９に接触することにより漏電することもない。さらに、絶縁されたケーブルガイド１０９内に電気ケーブル１０７が収容されることにより、電気ケーブル１０７の周囲に、その遊動幅を考慮した余分なスペースを設ける必要がなく、電気ケーブル１０７周囲の省スペース化が可能となる。
【００２４】
一方、図４に示すように、フルレートキャリッジ１０１の、電気ケーブル１０７の接続端部７０が固定された近傍には、板状のケーブル押え１３が設けられている。該ケーブル押え１３は、ポリプロピレン等の絶縁性合成樹脂を成形してなるものであり、接続端部７０から電気ケーブル１０７が延びる方向へ所定距離だけ離れた位置で、電気ケーブル１０７を上方から押し下げるように配置されている。
【００２５】
図５は、電気ケーブル１０７の湾曲状態を説明するための背面図であり、主にフルレートキャリッジ１０１、電気ケーブル１０７、及びケーブルガイド１０９を示しており、その他の部材は省略されている。前述したように、電気ケーブル１０７は適度な弾性を有するので、前記ケーブル押え１３がない場合には、位置Ｐ１では弧Ｋ１、位置Ｐ２では弧Ｋ２で示すように、下方へ反転するように湾曲させた遊び部分７２は接続端７０からケーブルガイド１０９内の底面に渡って弧状に膨らむこととなる。該弧状に膨らむ程度は、フルレートキャリッジ１０１の走査位置により異なるが、接続端部７０から遊び部分７２が反転するまでの距離が長いほど大きくなり、弧Ｋ２のようにケーシング６に接触することがある。また、遊び部分７２の大半がケーブルガイド１０９外へ膨出することにより、該膨出部分が遊動して、フルレートキャリッジ１０１等のその他の部材に接触するおそれもある。前記ケーブル押え１３を設けることにより、電気ケーブル１０７が下方へ押し下げられて、その遊び部分７２がケーブルガイド１０９から膨出することが規制される。例えば、位置Ｐ２においても、弧Ｋ３で示されるように、電気ケーブル１０７がケーブル押え１３により下方へ押し下げられることにより、ケーブルガイド１０９外へ膨出することが規制されて、電気ケーブル１０７がケーシング６やフルレートキャリッジ１０１等に接触することが防止される。また、電気ケーブル１０７の膨出が規制されることにより、ケーシング６をより低くすることができ、画像読取装置１００の小型化も可能となる。
【００２６】
なお、ケーブル押え１３を設ける位置は、電気ケーブル１０７の弾性や、ケーシング６等の他の部材までの距離等を考慮して、電気ケーブル１０７の膨出を抑えて遊び部分７２を走査方向に案内できる程度にケーブルガイド１０９内へ収容できる程度に、接続端部７０から電気ケーブル１０７の延びる方向へ離れた位置であって、フルレートキャリッジ１０１の走査に影響しない位置とすることが好適である。
【００２７】
また、該ケーブル押え１３はフルレートキャリッジ１０１に設けられて、フルレートキャリッジ１０１とともに走査されるので、各走査位置で電気ケーブル１０７の膨出を規制でき、フルレートキャリッジ１０１及びハーフレートキャリッジ１０２の走査の邪魔にもならない。さらに、ケーブル押え１３を、フルレートキャリッジ１０１の端部付近に配設される他の部材、例えばセンサ被検知部１４等と一体成形することにより、コストを抑制でき、省スペース化、取付作業の容易化が図れるので好ましい。
【００２８】
なお、本実施の形態では本画像読取装置１００が装備されたコピー・ファクシミリ複合機１を例に説明したが、本発明に係る画像読取装置が、スキャナ等の他の装置にも適用できることは当然である。また、本画像読取装置１００では、結像ユニット１０５は本体の底面に固定され、フルレートキャリッジ１０１及びハーフレートキャリッジ１０２の各反射ミラー１２，２１，２２を介して原稿からの反射光を結像ユニット１０５に導く構成としたが、例えば、原稿に対して走査されるキャリッジに、光源とともにＣＣＤ等の結像ユニットを設ける構成としてもよい。その場合には、本発明の電気ケーブルに、光源やＣＣＤへの給電の他、画像データや制御信号の送受信も伝達させることができる。
【００２９】
【発明の効果】
このように、本発明に係る画像読取装置によれば、キャリッジと装置本体の電源間にキャリッジの走査が可能なように遊びを持たせて配線された電気ケーブルと、電気ケーブルの遊び部分をキャリッジ走査方向に沿って案内する絶縁性のケーブルガイドとを具備してなるものとしたので、電気ケーブルが走査方向以外へ遊動することが防止され、その絶縁性により電気ケーブルからの漏電も防止される。これにより、電気ケーブルの損傷や、漏電による画像読取装置の誤作動を防止でき、また、電気ケーブルの周囲の省スペース化により、画像読取装置の小型化に寄与することができる。
【００３０】
また、本発明によれば、前記キャリッジに、前記電気ケーブルの遊び部分が前記ケーブルガイドから膨出することを規制するケーブル押えを設けたので、電気ケーブルがケーブルガイド外へ膨出してケーシングやプラテンガラス等に接触することが防止される。これにより、電気ケーブルの接触による損傷やプラテンガラスの汚れを防止することができ、また、電気ケーブルからケーシング等までの距離を短くすることができ、画像読取装置の小型化にも寄与する。
【図面の簡単な説明】
【図１】コピー・ファクシミリ複合機１の外観を示す概略斜視図である。
【図２】画像読取装置１００の構成を示す概略斜視図である。
【図３】フルレートキャリッジ１０１、ハーフレートキャリッジ１０２、及びワイヤ駆動機構１０４の構成を示す正面図である。
【図４】電気ケーブル１０７付近の拡大斜視図である。
【図５】電気ケーブル１０７の膨出状態を説明するための背面図である。
【符号の説明】
１００　画像読取装置
１０１　フルレートキャリッジ
１０２　ハーフレートキャリッジ
１０３　ガイドレール
１０４　ワイヤ駆動機構
１０５　結像ユニット
１０６　駆動ユニット（駆動源）
１０７　電気ケーブル
１０８　電源
１０９　ケーブルガイド
１１　光源
１２　ケーブル押え
７２　遊び部分
【図１】
2004085855.tif 000003
【図２】
2004085855.tif 000004
【図３】
2004085855.tif 000005
【図４】
2004085855.tif 000006
【図５】
2004085855.tif 000007